(57)【特許請求の範囲】
【請求項１】
カップ１の口部２に蓋体４を取り外し可能に装着し、該蓋体の内面適所から食品支持棒６を垂設すると共に、外面中央部に柄接続部７を突設させ、
又下端に上記柄接続部７と連結させる結合手段を、かつ中間部に窓孔10を有する柄８を設け、上記柄接続部７外面へ窓孔10を着脱自在に嵌合させて、該柄８を蓋体４上面へ載置させた
ことを特徴とする棒付き食品容器。
【請求項２】
口部２に小幅の外向きフランジ３を周設したテーパ付き合成樹脂製カップ１を設け、該カップの口部２に合成樹脂製蓋体４を取り外し可能に装着し、該蓋体には、周縁部に上記外向きフランジ３の周縁と係合する係合縁５を垂設して離脱可能に嵌着係合させ、更に、内面中央部から平板状の食品支持棒６を一体に垂設するとともに、外面中央部に長方形でかつ背の低い柄接続部７を、該柄接続部７の両側部に一対の係止窓12を穿設させて一体に突設させ、
また、両係止窓と係合させる一対の係合爪13を一端から突出すると共に中間部に窓孔10を有する合成樹脂製柄８を設け、上記柄接続部７外面へ窓孔10を着脱自在に嵌合させて、該柄８を蓋体４上面へ載置させた
ことを特徴とする棒付き食品容器。
【発明の詳細な説明】
【０００１】
【発明の属する技術分野】
本発明は、アイスクリーム、アイスキャンデー、プリン等に用いる棒付き食品容器に関するものである。
【０００２】
【従来の技術】
従来のこの種の容器に、実開昭６１‐１９６９８８  号公報、実開昭６１‐１９６９８９  号公報に示されたものがある。
これらは、棒が取り付けられてその柄が突出するアイスクリーム等を、切欠を有する蓋付き容器に、その切欠に棒を挿通させて柄を外部へ突出させた状態で収容するものである。
【０００３】
【発明が解決しようとする課題】
しかし、これらの容器では、突出する柄が邪魔になり、また、かなりの収容面積を占めるために冷蔵庫等への収容量が少なくなり、運送量等も少なくなる。
そこで、本発明は、それらの不都合を排除し、併せて、食用時に蓋体を利用して垂れをなくそうとするものである。
【０００４】
【課題を解決するための手段】
上記目的達成のため、請求項１の発明は、カップ１の口部２に蓋体４を取り外し可能に装着し、該蓋体の内面適所から食品支持棒６を垂設すると共に、外面中央部に柄接続部７を突設させ、
又下端に上記柄接続部７と連結させる結合手段を、かつ中間部に窓孔10を有する柄８を設け、上記柄接続部７外面へ窓孔10を着脱自在に嵌合させて、該柄８を蓋体４上面へ載置させた。
【０００５】
そして、請求項２の発明は、口部２に小幅の外向きフランジ３を周設したテーパ付き合成樹脂製カップ１を設け、該カップの口部２に合成樹脂製蓋体４を取り外し可能に装着し、該蓋体には、周縁部に上記外向きフランジ３の周縁と係合する係合縁５を垂設して離脱可能に嵌着係合させ、更に、内面中央部から平板状の食品支持棒６を一体に垂設するとともに、外面中央部に長方形でかつ背の低い柄接続部７を、該柄接続部７の両側部に一対の係止窓12を穿設させて一体に突設させ、
また、両係止窓と係合させる一対の係合爪13を一端から突出すると共に中間部に窓孔10を有する合成樹脂製柄８を設け、上記柄接続部７外面へ窓孔10を着脱自在に嵌合させて、該柄８を蓋体４上面へ載置させた。
【０００６】
如上の構成であり、その使用に当たっては、いずれの発明にあっても、アイスクリーム、アイスキャンデー、プリン等の食品Ａを収容するときは、従来同様にカップ１内に溶融状態で充填した後、その口部２に蓋体４を装着すればよい。この蓋体４には、柄８を倒伏状態で装備させる（図１、図２）。
次に、その食品Ａを食するときは、柄８を起立させ（図３）、蓋体４を引き外す。この引き外しに伴い、食品Ａが食品支持棒６に支持された状態でカップ１から引き出されることとなる（図４）。そこで、柄８を持ってその食品Ａを食すればよい。この際、外した蓋体４は、食品Ａを受ける皿の役割を果たして、その食品Ａの垂れ落ちを防ぐ。
【０００７】
加えて、請求項２の発明にあっては、蓋体４の装着の際、カップ１の外向きフランジ３の周縁に蓋体４の係合縁５を嵌着係合させればよく、該蓋体４の引き外しのときは、その嵌着係合を離脱させればよい。カップ１のテーパ形状は、食品Ａの引き出しを容易にする。
また、蓋体４の中央部に配された食品支持棒６及び柄接続部７は、支持される食品Ａ及び柄８をバランスよく保持して、都合よく食し得るようにし、平板状にした食品支持棒６は、食品Ａとの接触面積を大きくして、食品保持力を大きくする。
更に、長方形でかつ背の低い柄接続部７とこれの外周に窓孔１０をもって嵌合させる平板状の柄８は、柄８の突出を極力少なくし、その柄接続部７と窓孔１０による嵌合手段は、簡易かつ的確な保持を可能にする。
そして、その柄接続部７と柄８の下端の結合手段９とは、容易かつ的確な連結を可能にする。
【０００８】
【発明の実施の形態】
図面は、請求項１及請求項２の発明に係る実施の形態を示している。
図において、１は、口部２に小幅の外向きフランジ３を周設したテーパ付き合成樹脂製カップ、４は、該カップの口部２に取り外し可能に装着した合成樹脂製の蓋体、８は、該蓋体に装備させた平板状の合成樹脂製の柄である。
蓋体４は、周縁部に係合縁５を垂設して、該係合縁を上記外向きフランジ３の周縁と離脱可能に嵌着係合させるようにし、該係合縁５の内側に上記口部２内に着脱自在に嵌合させる嵌合短筒１１を垂設している。また、蓋板４は、内面中央部から平板状の食品支持棒６を一体に垂設するとともに、外面中央部に長方形でかつ背の低い柄接続部７を一体に突設し、該柄接続部の両側部に一対の係止窓１２を形成している。
柄８は、下端に上記柄接続部７と連結させる結合手段９を講じており、該結合手段９は、柄８の下端に上記柄接続部７内へ嵌挿して両側部係止窓１２と係合させる一対の係合爪１３を突設している。また、柄８は、中間部に上記柄接続部７の外周と離脱可能に嵌合させる窓孔１０を穿設している。
【０００９】
かかる構成であり、カップ１内へのアイスクリーム、アイスキャンデー、プリン等の食品Ａの充填は、蓋体４を外した状態でかつその食品Ａを溶融させた状態で行い、十分に充填したところで蓋体４を上述のようにして嵌着係合させて装着する。充填された食品Ａは、やがて適宜に固まり、食品Ａが食品支持棒６に結合される。また、蓋体４には、柄接続部７に柄８の窓孔１０を嵌合させて倒伏状態で保持させる（図１、図２）。
その食品Ａを食するときは、柄８を柄接続部７から取り外し、柄接続部７と結合手段９とを上述のようにして連結させて起立させ（図３）、蓋体４を引き外して食品支持棒６に支持された食品Ａをカップ１から引き出し（図４）、柄８を持ってその食品Ａを食する。この際、外した蓋体４によりその食品Ａの垂れ落ちが阻止される。
【００１０】
【発明の効果】
請求項１及び請求項２の発明によれば、柄８を倒伏状態で装備させることができるので、倒伏状態の柄８は外へ突出して邪魔になるようなことはなく、また、冷蔵庫等へ収容するにも柄８の占有スペースが極わずかで、その収容量を大幅に増大でき、運送量等を増大できて、運送効率等を向上させることができる。勿論、柄８を起立させることで、柄８としての機能を十分に発揮させることができる。しかも、食用時に蓋体４を皿に利用できて垂れ落ちをなくすことができる。
【００１１】
加えて、請求項２の発明によれば、カップ１の外向きフランジ３の周縁に蓋体４の係合縁５を嵌着係合させているので、蓋体４の着脱は極めて容易に行え、カップ１をテーパ状に形成しているので、食品Ａを容易に引き出すことができる。また、蓋体４の食品支持棒６及び柄接続部７を蓋体４の中央部に配しているので、支持される食品Ａ及び柄８をバランスよく保持することができ、食品Ａを都合よく食することができ、食品支持棒６を平板状に形成しているので、食品Ａとの接触面積を大きくできて、食品保持力を大きくすることができ、柄接続部７を長方形でかつ背の低いものとし、柄８を平板状として中間部の窓孔１０をその柄接続部７の嵌合させているので、柄８の突出を極力少なくでき、簡易かつ的確に保持させることができ、更に、その柄接続部７と柄８の下端の結合手段９とにより容易かつ的確な連結を得ることができる。
【図面の簡単な説明】
【図１】請求項１及び請求項２の発明に係る平面図である。
【図２】図１のＩ−Ｉ線の截断側面図である。
【図３】同例の柄を起立させた状態の半截断側面図である。
【図４】同例の食品を引き出した状態の斜視図である。
【符号の説明】
１…カップ                      ２…口部
３…外向きフランジ              ４…蓋体
５…係合縁                      ６…食品支持棒
７…柄接続部                    ８…柄
９…結合手段                    １０…窓孔
１１…嵌合短筒                    １２…係止窓
１３…係合爪
【図１】
0003579135.tif 000002
【図２】
0003579135.tif 000003
【図３】
0003579135.tif 000004
【図４】
0003579135.tif 000005